(57)【特許請求の範囲】
【請求項１】
駆動装置を備えた本体と、本体上で駆動装置により水平面内で回転される回転テーブルと、混合すべき材料を収容した容器の外底部を回転テーブル上に着脱可能に保持する保持手段と、回転テーブル上に保持された容器内に一端部が位置するように他端部で本体に枢支された撹拌具と、駆動装置により本体側で一定の角度範囲で揺動する揺動軸と、撹拌具の枢支部に揺動軸の揺動運動を伝達して撹拌具に水平面内の揺動運動を与える揺動伝達手段とを備え、容器内の材料を回転テーブルによる容器の回転と撹拌具の揺動との相対運動によって撹拌混合する混合装置において、
前記保持手段は、前記容器よりも小径の別の容器を回転テーブル上に着脱可能に保持する補助保持手段を含み、
前記揺動伝達手段としては、揺動軸の揺動運動を前記一定角度範囲のまま撹拌具の枢支部へ伝達する第１の伝達手段と、揺動軸の揺動運動を前記一定角度範囲より狭い角度範囲で伝達する第２の伝達手段とが交換可能に装着され、
第２の伝達手段は、前記一定角度範囲と前記狭い角度範囲との差を吸収する遊び機構を備えていることを特徴とする混合装置。
【請求項２】
撹拌具としては第１の撹拌具と第２の撹拌具とが交換可能に装着され、
第１の撹拌具は枢支部に第１の伝達手段を一体に備え、第２の撹拌具は枢支部に第２の伝達手段を一体に備えたことを特徴とする請求項１に記載の混合装置。
【請求項３】
第１の伝達手段と第２の伝達手段が共通の撹拌具の枢支部に交換可能に装着される別体のアタッチメントとして構成されていることを特徴とする請求項１に記載の混合装置。
【請求項４】
揺動軸が径方向に突出する突起部を備え、第１の伝達手段と第２の伝達手段がそれぞれ揺動軸に嵌合するソケット部を含み、第１の伝達手段のソケット部には前記突起部と実質的に遊び無く係合して揺動軸の揺動運動を前記一定角度範囲で撹拌具に伝達する第１の穴が設けられ、第２の伝達手段のソケット部には前記突起部と遊びをもって係合して揺動軸の揺動運動を前記狭い角度範囲で撹拌具に伝達する第２の穴が設けられ、第２の穴が揺動軸の周方向に延在する長穴として前記遊び機構を形成していることを特徴とする請求項１に記載の混合装置。
【請求項５】
保持手段が第１の保持部材と第２の保持部材とを含み、第１の保持部材は前記別の容器よりも大径の前記容器を保持するために回転テーブルに固定設置され、第２の保持部材は前記別の容器を保持するために第１の保持部材の内側で回転テーブルに着脱可能に取付けられることを特徴とする請求項１に記載の混合装置。
【請求項６】
保持手段が第１の保持部材と第２の保持部材とを含み、第１の保持部材は前記別の容器よりも大径の前記容器を保持するために回転テーブルに固定設置され、第２の保持部材は前記別の容器を保持するために第１の保持部材の内側で回転テーブルのテーブル面に没入可能に突設されていることを特徴とする請求項１に記載の混合装置。
【発明の詳細な説明】
【０００１】
【発明の属する技術分野】
本発明は、例えば内装工事、塗装工事等で下地調整を目的としたパテ施工に際して、パテを撹拌混合するための混合装置に関するものである。
【０００２】
【従来の技術】
一般的に、従来から壁紙貼り付け等の内装施工の際には、その下地調整として下地の不陸調整を目的としたパテ塗布作業が行われている。下地調整用パテには、主にペースト型と粉末型とがあるが、工期の短縮・ヤセ・持ち運びの簡便さから現在では粉末型パテの使用が多い。
【０００３】
この粉末型パテは、粉末状パテ（パテ粉）と水とを撹拌混合して練り、適度の粘度に調整した後に使用するものである。撹拌混合には、バケツ等の金属製あるいはプラスチック製の容器にパテ粉と水とを入れ、電動ドリルの回動軸に撹拌羽根を取付け、作業者が電動ドリルを持って容器内に撹拌羽根を入れ、ドリルを駆動して回動軸を回転させることによって撹拌羽根でパテ粉と水を混合し、練り上げていた。また、直接パテベラやゴムベラ等の用具を用いて作業者自身が混合作業を行っていた。
【０００４】
しかし、現在では、パテ調整作業の短縮化や作業者への負担軽減とともに、より均一なパテ混合を目的として、装置を用いて混合作業を機械化させている。従来の混合装置としては、バケツ等の容器を回転テーブル上に載置固定し、このテーブルをモータ等の駆動機構によって水平方向へ回転させると共に、容器内に挿入状態で取付けられた撹拌羽根を揺動させることによって、容器の回転と撹拌羽根の揺動との相対運動で容器内のパテ粉と水を撹拌混合し、適度な粘度になるまで練り上げる構成のものがある。
【０００５】
【発明が解決しようとする課題】
通常、市販の粉末状パテは約４〜５ｋｇで１袋となっており、混合作業は１袋単位で行うのが一般的であることから、混合装置も、１袋（５ｋｇとして）のパテ粉と水とを混合するのに充分な約１４Ｌの容器（バケツ）をセットできる設計となっている。
【０００６】
しかしながら、現場によっては少量のパテしか必要ない場合があり、この際、少量のパテ粉と水との混合を上記の如き混合装置を用いて大径の容器内で行うと、容器の回転と撹拌具の揺動との相対運動範囲に亘って材料が広がらないため、逆にパテを均一に混合して所望の粘度まで練り上げることが非常に困難となる。結局、作業者自身がパテベラ等で撹拌したり、電動ドリルを用いたりしていた。従って、少量のパテ調整でありながら、作業者の負担の増加やパテ混合の不均一性等の問題が再び生じ、パテ施工の工程全体として作業効率の低下を招くことになる。
【０００７】
本発明の目的は、上記問題点に鑑み、通常にパテ１袋単位の撹拌混合だけでなく、少量のパテでも均一に且つ効率的に撹拌混合できる混合装置を提供することにある。
【０００８】
【課題を解決するための手段】
上記目的を達成するため、請求項１に記載の発明に係る混合装置では、駆動装置を備えた本体と、本体上で駆動装置により水平面内で回転される回転テーブルと、混合すべき材料を収容した容器の外底部を回転テーブル上に着脱可能に保持する保持手段と、回転テーブル上に保持された容器内に一端部が位置するように他端部で本体に枢支された撹拌具と、駆動装置により本体側で一定の角度範囲で揺動する揺動軸と、撹拌具の枢支部に揺動軸の揺動運動を伝達して撹拌具に水平面内の揺動運動を与える揺動伝達手段とを備え、容器内の材料を回転テーブルによる容器の回転と撹拌具の揺動との相対運動によって撹拌混合する混合装置において、
前記保持手段は、前記容器よりも小径の別の容器を回転テーブル上に着脱可能に保持する補助保持手段を含み、
前記揺動伝達手段としては、揺動軸の揺動運動を前記一定角度範囲のまま撹拌具の枢支部へ伝達する第１の伝達手段と、揺動軸の揺動運動を前記一定角度範囲より狭い角度範囲で伝達する第２の伝達手段とが交換可能に装着され、
第２の伝達手段は、前記一定角度範囲と前記狭い角度範囲との差を吸収する遊び機構を備えているものである。
【０００９】
また、請求項２に記載の発明に係る混合装置は、請求項１に記載の混合装置において、撹拌具としては第１の撹拌具と第２の撹拌具とが交換可能に装着され、
第１の撹拌具は枢支部に第１の伝達手段を一体に備え、第２の撹拌具は枢支部に第２の伝達手段を一体に備えたものである。
【００１０】
また、請求項３に記載の発明に係る混合装置は、請求項１に記載の混合装置において、第１の伝達手段と第２の伝達手段が共通の撹拌具の枢支部に交換可能に装着される別体のアタッチメントとして構成されているものである。
【００１１】
また、請求項４に記載の発明に係る混合装置は、請求項１に記載の混合装置において、揺動軸が径方向に突出する突起部を備え、第１の伝達手段と第２の伝達手段がそれぞれ揺動軸に嵌合するソケット部を含み、第１の伝達手段のソケット部には前記突起部と実質的に遊び無く係合して揺動軸の揺動運動を前記一定角度範囲で撹拌具に伝達する第１の穴が設けられ、第２の伝達手段のソケット部には前記突起部と遊びをもって係合して揺動軸の揺動運動を前記狭い角度範囲で撹拌具に伝達する第２の穴が設けられ、第２の穴が揺動軸の周方向に延在する長穴として前記遊び機構を形成しているものである。
【００１２】
さらに、請求項５に記載の発明に係る混合装置は、請求項１に記載の混合装置において、保持手段が第１の保持部材と第２の保持部材とを含み、第１の保持部材は前記別の容器よりも大径の前記容器を保持するために回転テーブルに固定設置され、第２の保持部材は前記別の容器を保持するために第１の保持部材の内側で回転テーブルに着脱可能に取付けられるものである。
【００１３】
また、請求項６に記載の混合装置は、請求項１に記載の混合装置において、保持手段が第１の保持部材と第２の保持部材とを含み、第１の保持部材は前記別の容器よりも大径の前記容器を保持するために回転テーブルに固定設置され、第２の保持部材は前記別の容器を保持するために第１の保持部材の内側で回転テーブルのテーブル面に没入可能に突設されているものである。
【００１４】
本発明の混合装置は、大径の容器を回転テーブル上に着脱可能に保持する保持手段が、補助保持手段を介して別の小径容器を着脱可能に保持できるものであると共に、撹拌具を大径容器内で一定角度範囲に揺動させる揺動伝達手段が第２の伝達手段によって小径容器に合わせた狭い角度範囲で撹拌具を揺動運動させることができるものであるため、例えば大径容器が通常のパテ粉１袋単位で撹拌混合するのに対応したものとすれば、本発明の混合装置においては従来は手作業で行っていた少量のパテ粉の撹拌混合を、小径容器を用いて容器回転と撹拌具揺動との相対運動を小さくした範囲内で良好に行うことができる。
【００１５】
従って、本発明による混合装置を用いれば、施工に必要なパテが少量である場合も、少量のパテ粉と水を均一に且つ効率的に撹拌混合でき、作業者の負担も低減され、パテ施工工程全体の効率向上が図れる。
【００１６】
なお、本発明の揺動伝達手段の第２の伝達手段は、大径容器での撹拌混合時に第１の伝達手段によって撹拌具へ伝達される揺動軸の一定角度範囲の揺動運動に対して、小径容器での撹拌混合時において揺動軸の揺動角度範囲を狭くして撹拌具に伝達することによって小径容器に対応させるものである。
【００１７】
即ち、図４に示すように、本来の揺動軸の一定角度範囲での揺動運動が第１伝達手段によって伝達された撹拌具の大径容器内における揺動運動の範囲Ｄは、小径容器内で必要な撹拌具の揺動運動範囲ｄに対して、範囲Ａ×２だけ余計である。そこで、第２の伝達手段は、小径容器内での撹拌具の揺動運動を範囲ｄに狭めるために、揺動軸の揺動運動の本来の一定角度範囲を狭い角度範囲へ調整したうえで撹拌具へ伝達するものでなければならないが、これは、第２の伝達手段が両者の角度範囲の差を吸収する遊び機構を備えることによって実現できる。
【００１８】
このような伝達手段は、撹拌具に一体的に設けられた構成としても、あるいは撹拌具と別体のアタッチメントとして構成されるものとしてもいずれでも良い。前者の場合、第１の伝達手段と第２の伝達手段をそれぞれ備えた別体の第１の撹拌具と第２の撹拌具とを用意し、揺動軸に対して大径容器での撹拌混合時には第１の撹拌具が取付けられ、小径容器での撹拌混合時には第２の撹拌具が取付けられる。
【００１９】
また、後者の場合は、第１の伝達手段を備えた第１のアタッチメントと第２の伝達手段と備えた第２のアタッチメントとをそれぞれ別体に用意し、揺動軸に対して共通の撹拌具を、大径容器での撹拌混合時には第１のアタッチメントを介して取付け、小径容器での撹拌混合時には第２のアタッチメントを介して取付ける。
【００２０】
以上のように、伝達手段が、撹拌具に一体に設けられたもの、また同一の撹拌具に対して交換可能に取付けられるアタッチメントとして構成されるもの、いずれにしても、揺動軸を揺動させる駆動系を調整しなおすというような複雑で面倒な作業を必要とせず、揺動軸に対して部材を交換して取付けるという簡単な作業だけで、撹拌具の揺動運動の角度範囲を異なる径の容器にそれぞれ対応したものに容易に変更できる。
【００２１】
また、これら伝達手段を揺動軸へ取付ける構成としては、揺動軸に形成された径方向に突出する突起部に対して嵌合する穴を備えたソケット部を伝達手段に設ける構成が簡便である。第１の伝達手段のソケット部の第１の穴は、前記突起部と実質的に遊び無く係合して揺動軸の揺動運動を前記一定角度範囲で撹拌具に伝達するものとし、第２の伝達手段のソケット部の第２の穴は、揺動軸の周方向に延在する長穴として遊び機構を形成するものとする。これによって、第２の穴は前記突起部と遊びをもって係合するため、この遊び部分が前記一定角度範囲と狭い角度範囲との差を吸収し、揺動軸の揺動運動を前記狭い角度範囲で撹拌具に伝達することとなる。
【００２２】
また、容器の外底部を回転テーブル上に着脱可能に保持し、別の小径の容器を保持するための補助保持手段を有する保持手段としては、大径の容器を保持するための第１の保持手段と、小径の別の容器を保持するための第２の保持手段とからなる構成が挙げられる。保持手段は、保持する容器の外底部に合致する形状を持つものとすると、小径容器用の第２の保持手段は第１の保持手段より小さく、その内側に設置することができる。
【００２３】
従って、第２の保持手段は、第１の保持手段を回転テーブルから取り外して交換される構成ではなく、第１の保持手段は回転テーブルに固定設置されるものとし、この第１の保持手段を取り外すことなくその内側で回転テーブルに取付ける構成とすることができる。これは、第１の保持手段を取り外す手間が必要ない分だけ作業時間が短縮化する。この場合、第２の保持手段を第１の保持手段の内側で回転テーブルに着脱可能に取付けられるものとすれば、第２の保持手段をそれぞれ異なる複数の小径の容器に応じて選択することができる。
【００２４】
また、第２の保持手段を第１の保持手段の内側で回転テーブルのテーブル面に没入可能に突設されているものとすれば、第２の保持手段を取り外したり設置したりすることなく、大径の容器を設置することも小径の容器を設置することもできるため、より作業工程が簡略化される。
【００２５】
また、第１の保持手段としては、回転テーブルと一体に形成されたものでも良い。このような保持手段としては、たとえば、籠形状のものが挙げられる。これは、回転テーブルを内底面として周上の籠側面内に容器外底部がはめ込まれるものである。この場合、着脱可能に取付けられる第２の保持手段も籠形状とすると、その下面部に第１の保持手段の内底面に嵌合する係止部を形成すれば良い。
【００２６】
【発明の実施の形態】
本発明の一実施の形態として、第１の保持手段が回転テーブルと一体に形成された混合装置を図１〜図３に示す。図１は本実施形態による混合装置の概略構成図であり、図２は、本実施形態の第１の保持手段と第２の保持手段の構成を説明する模式図である。図３は本混合装置における第２の伝達手段と揺動軸の構成を説明する概略部分拡大図である。
【００２７】
本実施形態による混合装置は、第１の保持手段である保持枠５が周上に一体に形成された回転テーブル３が、本体１内に搭載された駆動装置２により本体１上に水平面内で回転可能に固定設置されている。保持枠５は、１袋５ｋｇのパテ粉を必要量の水と撹拌混合し練り上げるのに適した不図示の約１４Ｌ容量の円柱型バケツ（大径容器）の外底部形状に嵌合する内周形状を持つものである。
【００２８】
本実施形態においては、第２の保持手段として、５Ｌ容量の円柱型小径バケツ９の外底部形状に嵌合する内周形状を持つ保持枠部材６を備えている。この保持枠部材６は、底面の一部を構成する径方向に伸びた桟部７の下面にそれぞれ係止突起８が突設されている。
【００２９】
この係止突起８が回転テーブル３の底面の一部を構成する径方向に伸びた桟部４のエッジ部に回転テーブル３の回転方向と対向する方向に嵌合して係止されることによって、保持枠部材６が回転テーブル３に設置され、回転テーブル３の回転に伴って保持枠部材６も一体的に回転し、保持枠部材６に設置された小径バケツ９も水平面内方向に回転する。
【００３０】
従って、本実施形態では、回転テーブル３の保持枠５から大径バケツを取り外して保持枠部材６を回転テーブルに取り付け、小径バケツ９を保持枠部材６に嵌め込むという簡単な工程で、混合装置を少量のパテ調整モードに容易に切換えることができる。
【００３１】
また、本混合装置では、本体１上の回転テーブル３から所定距離離れた位置に、駆動装置２によって一定の角度範囲で揺動する揺動軸１０が垂直上方に突設されている。この揺動軸１０は、先端部１１に径方向に突設された突起１２を持ち、一端側にバケツ内で揺動して中の材料を撹拌混合するための撹拌羽根を備えた撹拌具の他端側のソケット部の穴が突起に係合することによって撹拌具を枢止し、揺動軸１０の揺動がこのソケット部から伝達されたバケツ内で一端側の撹拌羽根を揺動させる。
【００３２】
大径バケツによる撹拌混合を行う場合に用いるための第１の撹拌具（不図示）は、ソケット部の穴は、遊びなく突起１２に係合するものとし、揺動軸１０の一定角度範囲の揺動運動をそのまま撹拌具へ伝達し、一端側の撹拌羽根をバケツ内で揺動させる。即ち、揺動軸１０の揺動運動の一定角度範囲は、図４に示すように撹拌羽根が大径のバケツ内をその壁面から対向する壁面までの予め定められた距離範囲Ｄ内で揺動するように予め設定されている。
【００３３】
本実施形態では、小径バケツ９での撹拌混合に対応した揺動運動をさせるための第２の伝達手段としてのソケット部１４を他端側に有する別の第２の撹拌具１３を備えた。この撹拌具１３は、第１の撹拌具と同様に一端側にバケツ内で揺動して中の材料を撹拌混合するための撹拌羽根１６を有し、ソケット部１４には、図３に示すように、突起１２に対して遊びをもって係合する周方向に延在する長穴１５が形成されている。
【００３４】
この長穴１５の遊び分が、図４で説明したように、小径バケツ内で必要な撹拌羽根１６の揺動運動範囲ｄと大径バケツ内での撹拌羽根の揺動運動範囲Ｄとの差に相当する揺動軸１０の揺動運動の角度範囲の差を吸収する。
【００３５】
従って、本実施形態の混合装置では、駆動系を調整するという複雑で面倒な作業を行うことなく、第１の撹拌具を第２の撹拌具１３へ交換するという簡単な作業だけで、撹拌羽根１６の揺動運動範囲を大径バケツに適したものから小径バケツに適したものへと容易に変更することができる。
【００３６】
通常、撹拌羽根は、最もバケツ側壁面に近づく揺動範囲の両端位置で該バケツ側壁内面に縁部が接するように設定される。これは、撹拌羽根とバケツ側壁内面との間に間隙があると、壁面付近にパテ材料が滞留して充分な撹拌混合が行われない可能性があるためである。一方、本実施形態において、小径バケツ９での撹拌混合に対応して撹拌具１３に交換した場合、撹拌羽根１６の縁部が揺動範囲両端位置でバケツ９の側壁内面から離れていること、あるいは近すぎることも考えられる。
【００３７】
そこで、図５にに示すように、撹拌羽根１６ｘが撹拌具１３本体に対して水平方向に移動可能な構成とし、バケツ９の側壁内面に縁部が接する位置で固定されるように位置調節機構１７を備えることが望ましい。これにより、撹拌具１３を揺動軸１０に取付けた後、撹拌羽根１６ｘをバケツ側壁内面に近づけあるいは離して適切な位置に調節することができる。
【００３８】
なお、以上の実施の形態においては、それぞれソケット部に異なる穴が形成された第１の撹拌具と第２の撹拌具を備え、大径バケツでの大量パテ撹拌混合を行う場合と、小径バケツでの少量パテ撹拌混合を行う場合とで、両撹拌具を使い分ける構成を示したが、撹拌具とソケット部を着脱可能な別体のアタッチメント部材とし、共通の撹拌具に対してそれぞれ異なる穴が形成された第１のアタッチメントと第２のアタッチメントを備え、両アタッチメントを混合装置上の大径バケツと小径バケツの交換に応じて取り替えて撹拌具を揺動軸に取付ける構成としても良い。
【００３９】
また、上記実施形態では、揺動軸の揺動運動の一定角度範囲を狭い角度範囲として撹拌具へ伝達するために、第２の伝達手段であるソケット部の穴を周方向に延在する長穴とすることによって揺動軸の突起に遊びを持って係合する遊び機構を設けたが、その他に、駆動系を調整することなく揺動軸の一定角度範囲の揺動運動を狭い角度範囲へ用意に変更できる構成であれば利用可能である。
【００４０】
また、上記実施の形態では、小径バケツを保持する第２の保持手段としての保持枠部材は、回転テーブルに対して着脱可能に取付けられる構成としたが、回転テーブルに第１の保持手段としての保持枠の内側に突設する組込みタイプの構成としても良い。この場合、保持枠５による大径バケツの保持を邪魔することがない構成とする必要がある。
【００４１】
例えば、図６の縦断面図及び上方から見た平面図に示すように、保持枠部材２６をバネ機構２７を介して回転テーブル２３に形成されたスリット溝２４内に没入可能に固定し、保持枠部材２６上に大径バケツを載せると、保持枠部材２６の上端がテーブル面まで沈み込む構成とすれば、保持枠部材２６の影響を受けることなく大径バケツは保持枠２５に保持される。なお、保持枠部材２６は全周に亘って連続した枠となっているが、周上に配列された不連続な枠部材から構成されたものでも良い。
【００４２】
【発明の効果】
以上説明したとおり、本発明の混合装置によれば、通常の大量パテ調整だけでなく、一部の部材を降下、取付けるという簡単な作業で、従来は手作業であった少量のパテ調整のための撹拌混合作業を同一装置で行うことができるため、少量パテの均一混合を短時間で行えると共に、作業者の負担も軽減でき、パテ施工工程全体の効率化が図れるという効果がある。
【図面の簡単な説明】
【図１】本発明の一実施の形態としての混合装置の概略構成図である。
【図２】図１の混合装置における第１および第２の保持手段の構成を説明する模式図である。
【図３】図１の混合装置における撹拌具と揺動軸との係合部を説明する概略部分図である。
【図４】本発明の混合装置における揺動軸による撹拌具の大径容器および小径容器内での揺動運動角度範囲を示した模式図である。
【図５】撹拌具の異なる構成の一例を示した概略部分図である。
【図６】図１に示した実施の形態とは異なる構成の保持手段の一例を説明する概略構成図である。
【符号の説明】
１：本体
２：駆動装置
３，２３：回転テーブル
４：桟部
５，２５：保持枠
６，２６：保持枠部材
７：桟部
８：係止突起
９：小径バケツ
１０：揺動軸
１１：先端部
１２：突起
１３：撹拌具
１４：ソケット部
１５：穴
１６，１６ｘ：撹拌羽根
１７：位置調節機構
２４：スリット溝
２７：バネ機構
【図１】
0004155533.tif 000002
【図２】
0004155533.tif 000003
【図３】
0004155533.tif 000004
【図４】
0004155533.tif 000005
【図５】
0004155533.tif 000006
【図６】
0004155533.tif 000007